(57)【要約】【課題】本発明は、再生画像の画質低下を防止しつつ、装置自体が有する記憶部の記録容量の節約を行うことができる映像情報処理装置を提供することを目的とする。【解決手段】本発明に係る映像情報処理装置１００は、データ分割部１９と、記録媒体着脱部と、記憶部（磁気ディスク）３とを備えている。データ分割部１９は、一連の映像情報を、第一の情報と第二の情報とに分割することができる。記録媒体着脱部には、光ディスク１等の記録媒体が着脱される。ここで、当該記録媒体には、第一の情報が記録される。さらに、記憶部３には、第二の情報が記録される。【選択図】  図２
2008258804.tif 000002
【特許請求の範囲】
【請求項１】
一連の映像情報を、第一の情報と第二の情報とに分割するデータ分割部と、
前記第一の情報が記録される記録媒体の着脱が可能な記録媒体着脱部と、
前記第二の情報が記録される記憶部とを、備えている、
ことを特徴とする映像情報処理装置。
【請求項２】
前記記録媒体には、
記録動作禁止情報が記録されており、
前記記録動作禁止情報に従って、前記記録媒体に対する前記第一の情報の記録動作を実施するか否かを判断する、コントローラ部を、さらに備えている、
ことを特徴とする請求項１に記載の映像情報処理装置。
【請求項３】
前記記録媒体には、
当該記録媒体への記録動作を規定する記録動作識別情報が記憶されており、
前記コントローラ部が前記記録動作識別情報を認識できるときには、前記コントローラ部は、
前記記録動作識別情報に従って、前記記録媒体に前記第一の情報の記録を実施し、
前記コントローラ部が前記記録動作識別情報を認識できないときには、前記コントローラ部は、
前記記録動作禁止情報に従って、前記記録媒体に対する前記第一の情報の記録動作を実施するか否かを判断する、
ことを特徴とする請求項２に記載の映像情報処理装置。
【請求項４】
前記第一の情報は、
前記一連の映像情報より画質が低いデータであり、
前記第二の情報は、
前記一連の映像情報と前記第一の情報との差分データである、
ことを特徴とする請求項１ないし請求項３のいずれかに記載の映像情報処理装置。
【請求項５】
前記記録媒体には、
自身の識別情報が記録されており、
前記第一の情報が記録される第一のアドレスと、前記第二の情報が記録される第二のアドレスとを、前記識別情報に関連付けて保持する保持部を、さらに備えている、
ことを特徴とする請求項１ないし請求項４のいずれかに記載の映像情報処理装置。
【請求項６】
前記コントローラ部は、
前記記録媒体着脱部に装着された前記記録媒体の前記識別情報と、前記保持部に保持されている前記識別情報とが、一致するか否かを判断し、
前記コントローラ部が一致すると判断した場合に、当該一致している前記識別情報に関連付けられている前記第一のアドレスおよび前記第二のアドレスから、前記第一の情報および前記第二の情報を読み出すデータ読み出し部と、
前記第一のアドレスから読み出された前記第一の情報と、前記第二のアドレスから読み出された前記第二の情報とを、再生可能に合成するデータ合成部とを、さらに備えている、
ことを特徴とする請求項５に記載の映像情報処理装置。
【発明の詳細な説明】
【技術分野】
【０００１】
この発明は、映像情報処理装置に係る発明であり、たとえば、ＤＶＤディスク等の光ディスク並びにハードディスク等の磁気ディスクに対して、記録再生処理を行う映像記録再生装置に適用することができる。
【背景技術】
【０００２】
ディスクに記録された識別情報や動作定義により、既存フォーマットのディスクとの互換性を維持した上で、記録再生装置の動作を規定する技術として、たとえば特許文献１に係る技術が存在する。
【０００３】
当該特許文献１に係る技術では、所定の光ディスクに対する光ディスク駆動装置のアクセスが可能であるか否かを示すアクセス動作識別情報が、当該所定の光ディスクに記録されている。そして、光ディスク駆動装置では、当該アクセス動作識別情報を読み取り、光ディスク駆動装置の有するアクセス動作識別情報と比較する。そして、両情報が対応していない場合には、光ディスク駆動装置は、光ディスクとの再生互換性または記録互換性が取れていないため、当該光ディスク駆動装置は、光ディスクのユーザーデータ領域に対する光ヘッドによるアクセス動作を行わない。
【０００４】
【特許文献１】特開２００６−１２４０６号公報
【発明の開示】
【発明が解決しようとする課題】
【０００５】
近年、記録再生装置として、ＤＶＤ等の光ディスクとハードディスク（ＨＤＤ）が一体となった装置が主流となっている。また、デジタル放送が徐々に広まり、デジタル放送の大容量高精細な映像をそのままの画質で記録したいという需要が高まっている。
【０００６】
しかし、上記高精細な映像をＨＤＤに記録する場合、データの容量が非常に大きいため、ＨＤＤの空き容量がすぐになくなってしまい、録画していた未視聴のコンテンツを消去する必要性が生じ得る。
【０００７】
また、上記高精細な映像をＨＤＤからＤＶＤにダビングする場合には、そのままの画質ではＤＶＤの容量では収まりきれないため、再エンコードを行う必要があり、高速ダビングができない。したがって、ダビング処理に多くの時間が費やされてしまうため、ディスクへのダビングが煩わしくなり、結果としてダビング処理を実施することが極端に少ないという現状がある。
【０００８】
そこで、本発明は、再生画像の画質低下を防止しつつ、装置自体が有する記憶部の記録容量の節約を行うことができる映像情報処理装置を提供することを目的とする。さらには、たとえば装置が有する記憶部から装置に対して着脱自在の記録媒体にダビングする際の再エンコードを必要としない、映像情報処理装置を提供することを目的とする。
【課題を解決するための手段】
【０００９】
上記の目的を達成するために、本発明に係る請求項１に記載の映像情報処理装置は、一連の映像情報を、第一の情報と第二の情報とに分割するデータ分割部と、前記第一の情報が記録される記録媒体の着脱が可能な記録媒体着脱部と、前記第二の情報が記録される記憶部とを、備えている。
【発明の効果】
【００１０】
本発明の請求項１に記載の映像情報処理装置は、一連の映像情報を、第一の情報と第二の情報とに分割し、第一の情報を外部から着脱される記録媒体に記録し、第二の情報を自機内部の記憶部に記録している。
【００１１】
したがって、再生画像の画質低下を防止しつつ、記憶部のみに一連の映像情報を記録する場合よりも、当該記憶部の容量を節約することができる。
【発明を実施するための最良の形態】
【００１２】
以下、この発明をその実施の形態を示す図面に基づいて具体的に説明する。
【００１３】
＜実施の形態１＞
（光ディスクのフォーマットの説明）
図１は、本実施の形態に係る映像情報処理装置における記録再生処理の際に用いられる光ディスク１の記録領域フォーマットを示す図である。光ディスク１として、たとえば、ＤＶＤ−ＲＯＭ（Ｄｉｇｉｔａｌ  Ｖｅｒｓａｔｉｌｅ  Ｄｉｓｋ  Ｒｅａｄ  Ｏｎｌｙ  Ｍｅｍｏｒｙ）、ＤＶＤ−Ｒ（Ｒｅｃｏｒｄａｂｌｅ）、ＤＶＤ−ＲＷ（Ｒｅｗｉｔａｂｌｅ）を含む各種ＤＶＤディスク等を採用できる。
【００１４】
図１（ａ）に示すように、光ディスク１には、当該光ディスク１の内周側から外周側に向けて、ＢＣＡ（Ｂｕｒｓｔ  Ｃｕｔｔｉｎｇ  Ａｒｅａ）領域１２０、リードイン領域１２１、ユーザーデータ領域１２２、およびリードアウト領域１２３が配置されている。ここで、ＢＣＡ領域１２０には、光ディスク１の製造終了後の情報が記録される。リードイン領域１２１およびリードアウト領域１２３には、光ディスク１の物理的特性情報が記録される。ユーザーデータ領域１２２には、コンテンツデータ本体が記録される。
【００１５】
映像情報処理装置において光ディスク１を再生するときは、当該光ディスク１内周側から外周側に向かって順に再生される。
【００１６】
また、図１（ｂ）は、ＢＣＡ領域１２０およびリードイン領域１２１の記録フォーマットをより具体的に示している。図１（ｂ）に示すように、ＢＣＡ領域１２０には、当該光ディスク１自身の識別情報（以下、媒体識別情報と称する）１２４が記録されている。媒体識別情報１２４は、光ディスク１を識別するための情報であり、たとえばシリアルＩＤなどを表されている。また、リードイン領域１２１には、光ディスク１を再生する映像情報処理装置の動作を管理・コントロールするために用いられる動作管理情報１２５が記録されている。
【００１７】
図１（ｃ）は、動作管理情報１２５の記録フォーマットをより具体的に示している。図１（ｃ）に示すように、動作管理情報１２５は、識別情報１２６、動作定義１２７、アドレス情報１２８、およびリザーブ領域１２９から構成されている。識別情報１２６は、光ディスク１を記録再生する場合における映像情報処理装置が行う動作についての定義情報である。動作定義１２７は、識別情報１２６を映像情報処理装置が理解できない場合における当該装置が行う動作についての定義情報である。アドレス情報１２８は、記録を行うユーザーデータ領域１２２の領域を規定した情報である。なお、リザーブ領域１２９は、将来規定される情報を記録するための予備領域である。
【００１８】
ここで、識別情報１２６および動作定義１２７は、ユーザーデータ領域１２２に対する、映像情報処理装置による記録動作を管理・コントロールするための動作管理情報である。
【００１９】
即ち、図１（ｄ）に示すように、識別情報１２６には、映像情報処理装置による記録動作についての識別符号である記録動作識別情報１３０が記載されている。動作定義１２７には、映像情報処理装置が、装着された光ディスク１の記録動作識別情報１３０を認識（理解）できない場合（たとえば、バージョンの相違等により認識できない場合）に、ユーザーデータ領域１２２へのデータ（情報）の記録動作を禁止するか否かを定義する記録動作禁止情報（ビット）１３１が割り当てられている。
【００２０】
したがって、映像情報処理装置が、装着された光ディスク１の記録動作識別情報１３０を認識（理解）できない場合であって、記録動作禁止情報１３１がたとえば「１」となっているケースを想定する。当該ケースでは、当該映像情報処理装置は、ユーザーデータ領域１２２へのデータ（情報）の記録動作を行わない。
【００２１】
これに対して、映像情報処理装置が装着された光ディスク１の記録動作識別情報１３０を認識（理解）できない場合であっても、記録動作禁止情報１３１がたとえば「０」であるケースを想定する。当該ケースでは、映像情報処理装置は、ユーザーデータ領域１２２へのデータ（情報）の記録動作を行う。
【００２２】
なお、映像情報処理装置が記録動作識別情報１３０を認識（理解）できる場合には、当該映像情報処理装置は記録動作禁止情報１３１を読まずに、当該記録動作識別情報１３０に従った記録動作を実施する。
【００２３】
なお上記では、動作管理情報１２５は、リードイン領域１２１に記録されているとした。しかし、当該動作管理情報１２５は、ＢＣＡ領域１２０やリードアウト領域１２３に記録されていても良い。
【００２４】
（映像情報処理装置の説明）
図２は、本実施の形態に係る映像情報処理装置１００の内部構成を示すブロック図である。
【００２５】
図２に示すように、映像情報処理装置１００は少なくとも、データ分割部１９、記録媒体着脱部（図示せず、図２では記録媒体である光ディスク１が装着されている状態を示している）、記録部（以下、磁気ディスクと称する）３、システムコントローラ部１８、媒体識別情報／関連アドレス保持部（以下単に、保持部と称する）２４、モータドライバ１４，１５、およびデータ合成部２０を備えている。
【００２６】
以下、映像情報処理装置１００の動作を通じて、各構成ブロックの説明を行う。
【００２７】
はじめに、映像情報処理装置１００の記録動作について説明する。
【００２８】
テレビなどの表示部２２に内蔵されるチューナーなどから出力された映像信号は、映像・音声エンコード／デコード部２１に入力され、映像および音声のエンコードが行われる。
【００２９】
次に、映像・音声エンコード／デコード部２１においてエンコードされたデータは、データ分割部１９で分割される。つまり、一連の映像信号は、データ分割部１９において、第一の情報および第二の情報に分割される。
【００３０】
ここで、第一の情報は、記録媒体である光ディスク１に記録される。他方、第二の情報は、内蔵された記録部である磁気ディスク３に記録される。また、第一の情報はたとえば、高画質である一連の映像信号よりも画質が劣る（画質が低い）標準画質の映像データである。ここで、当該第一の情報は、光ディスク１一枚の容量に収まる程度のデータ量となるよう調整されている。この場合、第二の情報は、高画質である一連の映像信号と標準画質の映像データとの差分データである。つまり、当該標準画質のデータと差分データとを合成することにより、高精細な画像を再生することが可能となる。
【００３１】
上記データの分割処理が実施される一方で、記録媒体の着脱が自在である記録媒体装着部に光ディスク１が装着されているか否かを、システムコントローラ１８が確認する。
【００３２】
システムコントローラ部１８が光ディスク１が装着されていることを確認した場合には、当該システムコントローラ部１８は、光ディスク１の動作管理情報１２５が記録されている領域へアクセスするように、サーボプロセッサ１３に対して制御信号を出力する。
【００３３】
次に、当該制御信号を受信したサーボプロセッサ１３は、当該制御信号に従ってモータドライバ１５を制御する。これにより、所望の領域の情報（動作管理情報１２５）が読み出されるように、光ピックアップ（ＰＵ）２の駆動が当該モータドライバ１５により制御される。
【００３４】
次に、光ピックアップ２によって読み出された動作管理情報１２５は、光ディスク信号処理部５において増幅される。そして、光ディスク信号処理部５から出力された信号は、２値化部６へ供給される。
【００３５】
２値化部６では入力されてきた信号を２値化し、当該２値化された２値化信号は変調信号としてエンコード／デコード部７に供給される。当該変調された２値化信号が入力されると、エンコード／デコード部７は、２値化信号をデコードする。そして、動作管理情報抽出部２５によって、デコードされた信号から動作管理情報１２５を抽出する。ここで、エンコード／デコード部７は、再生時のデコーダとしての機能部位と、記録時のエンコーダとしての機能部位を備えている。
【００３６】
さて、当該抽出された動作管理情報１２５は、システムコントローラ１８に向けて出力される。当該システムコントローラ１８では、上記記録動作禁止情報１３１に従って、光ディスク１に対する上記第一の情報の記録動作の有無を判断する。より具体的には、システムコントローラ部１８が記録動作識別情報１３０を認識できるときには、システムコントローラ部１８は、当該記録動作識別情報１３０に従って光ディスク１に第一の情報の記録を実施する。他方、システムコントローラ部１８記録動作識別情報１３０を認識できないときには、システムコントローラ部１８は、記録動作禁止情報１３１に従って光ディスク１に対する第一の情報の記録動作の有無を判断する。
【００３７】
図２の構成では、システムコントローラ部１８内に配設されている動作管理情報解析部２６によって、上記動作管理情報１２５の解析が行われる。具体的には、動作管理情報解析部２６は、まず動作管理情報１２５に関わる識別情報１２６である記録動作識別情報１３０を検出する。そして、動作管理情報解析部２６が検出した記録動作識別情報１３０を理解することができる場合には、当該記録動作識別情報に従った記録動作が映像情報処理装置１００において管理・制御される。たとえば、システムコントローラ部１８の制御により、アドレス情報１２８に規定されているアドレス範囲に従って、光ディスク１に対して第一の情報を記録する。他方、動作管理情報解析部２６が記録動作識別情報１３０を理解することができない場合には、システムコントローラ部１８の制御により、動作定義１２７である記録動作禁止情報１３１に従って、光ディスク１に対する第一の情報の記録動作を行うか否かを判断する。
【００３８】
さて、動作管理情報解析部２６での解析結果に基づき、記録動作識別情報１３０が理解できる場合および、記録動作識別情報１３０が理解できない場合であって記録動作禁止情報１３１が「０」である場合の、その後の処理は以下の通りである。
【００３９】
この場合には、データ分割部１９で分割された第一の情報（たとえば標準画質の映像データ）は、エンコード／デコード部７においてエンコードされる。その後、システムコントローラ部１８の制御の下、サーボプロセッサ１３、モータドライバ１５を通じて、光ピックアップ部２を駆動させる。そして、当該光ピックアップ部２を介して、第一の情報が光ディスク１に記録される。他方、データ分割部１９で分割された第二の情報（たとえば差分データ）は、エンコード／デコード部１７においてエンコードされる。その後、磁気ヘッド９を介して、第二の情報が磁気ディスク３に記録される。
【００４０】
これに対して、動作管理情報解析部２６での解析結果に基づき、記録動作識別情報１３０が理解できない場合であって記録動作禁止情報１３１が「１」である場合には、システムコントローラ部１８は、第一の情報の記録動作を禁止する。より具体的には、リードイン領域１２１、ユーザーデータ領域１２２、およびリードアウト領域１２３への記録動作を一切禁止する。
【００４１】
なお、第一，二の情報が光ディスク１および磁気ディスク３に対して記録された際に、光ディスク１の第一の情報が記録されたアドレスおよび磁気ディスク３の第二の情報が記録されたアドレスを、記録の対象となった光ディスク１の媒体識別情報１２４と対応付けて、システムコントローラ１８の制御により、当該システムコントローラ１８内の保持部２４に保持・記録される。なお、光ディスク１から当該媒体識別情報１２４を抽出する方法（動作）は、実施の形態２において詳述する。
【００４２】
以上のように、本実施の形態に係る映像情報処理装置１は、高精細な一連の映像情報（映像データ）を、装置に装着された光ディスク１と自機内の磁気ディスク３とに分割して記憶している。
【００４３】
したがって、磁気ディスク３のみの当該一連の映像情報を記録する場合よりも、当該磁気ディスク３の容量を節約することができる。
【００４４】
また、光ディスク１に記憶される第一の情報と磁気ディスク３に記録される第二の情報とを再生処理の際に合成すれば、高精細な画像の再生が可能となる。つまり、再生画像の画質低下も防止しながら、磁気ディスク３の容量の節約が可能なる。
【００４５】
また、本実施の形態に係る映像情報処理装置１００では、光ディスク１に記録されている記録動作禁止情報１３１に従って、光ディスク１に対する第一の情報の記録動作の有無を、システムコントローラ部１８が判断している。
【００４６】
したがって、光ディスク１側において、映像情報処理装置１００による分割された第一の情報の記録動作の管理・制御を行うことができる。
【００４７】
また、本実施の形態に係る映像情報処理装置１００では、システムコントローラ部１８が光ディスク１に記録されている記録動作識別情報を認識できるときには、記録動作識別情報に従って光ディスク１への第一の情報の記録が制御される。他方、システムコントローラ部１８が記録動作識別情報を認識できないときには、上記記録動作禁止情報に従って光ディスク１に対する第一の情報の記録動作の有無を判断している。
【００４８】
したがって、記録動作識別情報１３０が認識できる場合には、映像情報処理装置１００は、当該記録動作識別情報１３０で規定された記録動作を行うことができる。他方、バージョンアップ等の理由によって記録動作識別情報１３０が認識できない場合であっても、記録動作禁止情報１３１を読み取ることにより、光ディスク１に対する第一の情報の記録を禁止することが可能となる。
【００４９】
また、本実施の形態では、光ディスク１に記録される第一の情報は、一連の映像情報より画質が低いデータであり、磁気ディスク３に記録される第二の情報は、一連の映像情報と前記第一の情報との差分データである。
【００５０】
したがって、磁気ディスク３には高精細な一連の映像情報そのものではなく、データ量がより少ない差分データのみを記録しておけば良いことになる。したがって、再生映像の画質を低下させることなく、磁気ディスク３の記憶容量のさらなる節約が可能となる。
【００５１】
また、上述の通り、データ分割部１９により一連の映像情報を、光ディスク１一枚の容量に収まるようにデータ量が調整された映像データ（第一の情報）と、当該映像データを高精細に再生することができる差分データとに分割している。つまり、画質が低下しているものの再生可能な映像データ自体は、光ディスク１に記録されている。したがって、磁気ディスク３から光ディスク１へのダビング処理の際に実施されていた再エンコードはもちろん、光ディスク１へのダイビング自体を不要とすることができる。
【００５２】
また、本実施の形態に係る映像情報処理装置１００では、保持部（媒体識別情報／関連アドレス保持部）２４を備えている。当該保持部２４には、第一の情報が記録される第一のアドレスと第二の情報が記録第二のアドレスとを、光ディスク１に記録されている光ディスク自身の媒体識別情報１２４に関連付けて保持（記録）している。
【００５３】
したがって、分割した第一の情報および第二の情報を映像情報処理装置１００において合成する際に、不整合が発生しないようにすることができる。
【００５４】
なお、一の映像情報処理装置１００において分割され・記録された第一の情報が格納されている光ディスク１に対して、当該位置の映像情報処理装置１００ではない他の映像情報処理装置での記録を行うことを禁止するようにしても良い。これにより、保持部２４に保持されている媒体識別情報１２４、および当該媒体識別情報１２４に関連付けられた上記第一、二のアドレスに記録されている第一、二の情報に対して、不整合が発生しないようにすることができる。
【００５５】
＜実施の形態２＞
本実施の形態では、実施の形態１で説明した映像情報処理装置１００における、一連の映像情報を再生する動作について説明する。以下、図１，２を参照して、当該再生動作について詳述する。
【００５６】
記録媒体の着脱が自在である記録媒体装着部（図２において図示せず）に光ディスク１が装着されているか否かを、システムコントローラ１８が確認する。システムコントローラ部１８が光ディスク１が装着されていることを確認した場合には、当該システムコントローラ部１８は、光ディスク１の媒体識別情報１２４が記録されている領域へアクセスするように、サーボプロセッサ１３に対して制御信号を出力する。
【００５７】
次に、当該制御信号を受信したサーボプロセッサ１３は、当該制御信号に従ってモータドライバ１５を制御する。これにより、所望の領域の情報（媒体識別情報１２４）が読み出されるように、光ピックアップ（ＰＵ）２の駆動が当該モータドライバ１５により制御される。
【００５８】
次に、光ピックアップ２によって読み出された媒体識別情報１２４は、光ディスク信号処理部５において増幅される。そして、光ディスク信号処理部５から出力された信号は、２値化部６へ供給される。
【００５９】
２値化部６では入力されてきた信号を２値化し、当該２値化された２値化信号は変調信号としてエンコード／デコード部７に供給される。当該変調された２値化信号が入力されると、エンコード／デコード部７は、２値化信号をデコードする。そして、媒体識別情報抽出部２３によって、デコードされた信号から媒体識別情報１２４を抽出する。
【００６０】
抽出された媒体識別情報１２４は、システムコントローラ１８に出力される。ここで、実施の形態１で説明したように、保持部２４には、第一のアドレスおよび第二のアドレスが所定の媒体識別情報１２４と関連付けられて保持されている。そこで、媒体識別情報（以下、抽出された媒体識別情報を抽出媒体識別情報と称する）１２４が入力されると、システムコントローラ１８は、保持部２４に保持されている媒体識別情報（以下、保持部２４に保持されている媒体識別情報を保持媒体識別情報と称する）１２４と、前記抽出媒体識別情報１２４とを照合する。
【００６１】
前記照合の結果、保持媒体識別情報１２４と抽出媒体識別情報１２４とが一致した場合には、抽出媒体識別情報（または保持媒体識別情報）１２４と関連付けられている、光ディスク１の第一のアドレスおよび磁気ディスク３の第二のアドレスにアクセスするように、システムコントローラ部１８は、サーボプロセッサ１３およびサーボプロセッサ１２を制御する。
【００６２】
光ピックアップ２は、サーボプロセッサ１３からの制御信号により、第一のアドレス位置に移動する。そして、当該光ピックアップ２は、当該第一のアドレスから光ディスク１に記録されている第一の情報の読み出しを行う。当該読み出された信号は、光ディスク信号処理部５において増幅される。そして、光ディスク信号処理部５から出力される再生信号は２値化部６に供給されると共に、サーボ制御に使用可能なトラッキングエラー信号やフォーカスエラー信号などの信号を生成してサーボプロセッサ１３にも供給される。
【００６３】
サーボプロセッサ１３は、光ディスク信号処理部５から供給されるトラッキングエラー信号やフォーカスエラー信号に応じて、フォーカスドライブ信号やトラッキングドライブ信号を生成し、当該生成した信号をモータドライバ１５に供給する。モータドライバ１５では、光ピックアップ２内のフォーカスコイルおよびトラッキングコイルを駆動し、フォーカスおよびトラッキングの制御が行われる。
【００６４】
なお、モータドライバ１５からの制御信号に従いスピンドルモータ４を駆動することで、光ディスク１は、一定速度または一定角速度で回転するよう制御されている。
【００６５】
このようにして安定に読み出された光ディスク１からの２値化信号は、変調信号としてエンコード／デコード部７に供給される。エンコード／デコード部７では、再生時のデコーダとしての機能部位と、記録時のエンコーダとしての機能部位を備える。再生時には、復調され、バッファメモリ８を介してエラー訂正、デインターリーブ等の信号処理を行い、変調信号のデコードを行う。デコードが行われた信号は、バッファメモリ８に記録される。
【００６６】
上記第一の情報の読み出しの一方、下記のように第二の情報も読み出される。
【００６７】
磁気ヘッド９は、サーボプロセッサ１２の制御信号により、第二のアドレス位置に移動する。そして、当該磁気ヘッド９は、第二のアドレスから磁気ディスク３に記録されている第二の情報の読み出す。読み出された信号は、磁気ディスク信号処理部１０において増幅される。そして、磁気ディスク信号処理部１０から出力される再生信号は、２値化部１１へ供給されると共に、サーボ制御に使用可能なエラー信号などの信号を生成してサーボプロセッサ１２にも供給される。
【００６８】
サーボプロセッサ１２は、磁気ディスク信号処理部１０から供給されるエラー信号に応じて、磁気ヘッド９およびスピンドルモータ１６を制御する制御信号をモータドライバ１４に供給する。モータドライバ１４では磁気ヘッド９内のコイルを駆動し、磁気ヘッド９の制御が行われる。
【００６９】
なお、モータドライバ１４からの制御信号に従いスピンドルモータ１６を駆動することで、磁気ディスク３は一定速度または一定角速度で回転するよう制御される。
【００７０】
このようにして安定に読み出された磁気ディスク３からの２値化信号は、変調信号としてエンコード／デコード部１７に供給される。エンコード／デコード部１７は、再生時のデコーダとしての機能部位と、記録時のエンコーダとしての機能部位とを備える。再生時には、復調され、バッファメモリ８を介して光ディスク１と同様の信号処理を行い、変調信号のデコードを行う。当該デコードが行われた信号は、バッファメモリ８に記録される。
【００７１】
なお、ここまでの処理によりバッファメモリ８には、光ディスク１から読み出されデコードされたデータおよび磁気ディスク３から読み出されデコードされたデータが、同期の取れた状態で記録されていることになる。
【００７２】
次に、バッファメモリ８に記録された各データは、データ合成部２０で合成される。そして、合成されたデータ（上記一連の映像情報と把握できる）は、映像・音声エンコード／デコード部２１にて映像および音声のデコードが行われ、テレビなどの表示部２２に表示される。つまり、第一の情報と第二の情報とを合成し、合成により生成された高精細な一連の映像情報が、表示部２２において再生される。
【００７３】
ここで、上記のように、光ディスク１に標準の画質の映像データ（第一の情報）が記録されており、磁気ディスク３に当該映像データを高精細に再生することができる差分データ（第二の情報）が記録されている場合には、データ合成部２０で各情報が合成されることによって、高精細な画質の一連の映像情報を生成できる。
【００７４】
以上のように、本実施の形態に係る映像情報処理装置１００では、システムコントローラ部１８は、抽出媒体識別情報と保持媒体識別情報とが一致するか否かを判断している。そして、一致すると判断した場合には、保持媒体識別情報に関連付けられている第一のアドレスおよび第二のアドレスにアクセスしている。そして、第一のアドレスから読み出された第一の情報と第二のアドレスから読み出された第二の情報とを、データ合成部２０において再生可能に合成している。
【００７５】
したがって、実施の形態１で分割され、光ディスク１および磁気ディスク３に記憶された第一の情報および第二の情報を、高精細な一連の映像情報として正常に再生することができる。
【図面の簡単な説明】
【００７６】
【図１】光ディスクの記録領域フォーマットを示す図である。
【図２】本発明に係る映像情報処理装置の構成を示す図である。
【符号の説明】
【００７７】
１  光ディスク、３  磁気ディスク、１８  システムコントローラ、１９  データ分割部、２０  データ合成部、２４  媒体識別情報／関連アドレス保持部、２６  動作管理情報解析部、１００  映像情報処理装置、１２４  媒体識別情報、１２５  動作管理情報、１３０  記録動作識別情報、１３１  記録動作禁止情報。
【図１】
2008258804.tif 000003
【図２】
2008258804.tif 000004